(57)【要約】【課題】  液晶パネルの画素格子に対して、プリズムシートのプリズム溝を傾けずに配置しても、モアレが認識できないような液晶表示装置を提供する。【解決手段】  バックライト装置と液晶パネルを有する液晶表示装置で、バックライト装置と液晶パネルとの間には、液晶パネルの画素格子に対して傾きを有していないプリズムシートを配置し、プリズムシートと液晶パネルとの間には前記プリズムシートと前記液晶パネルとの間にはヘイズ値が４８％以上７０％以下で、シート厚が５０μｍ以上９０μｍ以下の拡散シートを配置する。【選択図】        図１
2006235014.tif 000002
【特許請求の範囲】
【請求項１】
バックライト装置と液晶パネルを有する液晶表示装置において、
前記バックライト装置と前記液晶パネルとの間には、前記液晶パネルの画素格子に対して傾きを有しないプリズムシートが配置されており、
前記プリズムシートと前記液晶パネルとの間には、ヘイズ値が４８％以上７０％以下で、シート厚が５０μｍ以上９０μｍ以下の拡散シートを配置した液晶表示装置。
【請求項２】
バックライト装置と液晶パネルを有する液晶表示装置において、
前記バックライト装置と前記液晶パネルとの間には、前記液晶パネルの画素格子に対して傾きを有していないプリズムシートが配置されており、
前記プリズムシートと前記液晶パネルとの間には、ヘイズ値が４８％以上６５％以下で、シート厚が５０μｍ以上９０μｍ以下の拡散シートを配置した液晶表示装置。
【請求項３】
請求項１又は２に記載の液晶表示装置において、
前記プリズムシートは、プリズムの頂角が前記液晶パネル側に向いて配置されている正プリズムシートである液晶表示装置。
【請求項４】
請求項３の液晶表示装置において、
前記正プリズムシートは、２枚の正プリズムシートが配置されており、
２枚の正プリズムシートは夫々のプリズム溝が互いに直交して配置されている液晶表示装置。
【請求項５】
請求項１又は２に記載の液晶表示装置において、
前記プリズムシートは、プリズムの頂角が前記バックライト装置側に向いて配置されている逆プリズムシートである液晶表示装置。
【発明の詳細な説明】
【技術分野】
【０００１】
本発明は、液晶表示装置に関し、特に液晶表示パネルとバックライトの間に拡散シートを配置した液晶表示装置に関する。
【背景技術】
【０００２】
液晶表示装置においては、液晶パネルの画素と、この液晶パネルの下側に配置したプリズムシートのプリズム溝が干渉することによりモアレが発生することが知られている。
【０００３】
このようなモアレを対策する従来例として、液晶表示装置の画素格子に対して、プリズムシートのプリズム溝を僅かに傾けてことによりモアレピッチを極小にして人間の目には認識出来ない状態とする方法がある。
【特許文献１】ＵＳＰＮ．５２８０３７１
【発明の開示】
【発明が解決しようとする課題】
【０００４】
上記従来技術によりモアレ対策を行う手法も有効であるが、本発明では液晶表示装置の画素格子に対して、プリズムシートのプリズム溝を傾けずに配置しても、モアレが認識できないような液晶表示装置を提供できないかと考えた。同時に、液晶表示装置全体として高輝度、薄型化の要求も達成することができる液晶表示装置について考えた。
【０００５】
本発明の第一の実施態様によれば、バックライト装置と液晶パネルを有する液晶表示装置で、このバックライト装置と液晶パネルとの間には、液晶パネルの画素格子に対して傾きを有していない、即ち画素格子を形成する走査配線若しくは映像配線に対して傾きを有していない液晶パネル側にプリズム面を有する正プリズムシートが配置されており、この正プリズムシートと液晶パネルとの間にはヘイズ値が４８％−７０％の拡散シートを配置したというものである。
【０００６】
本発明の一実施態様によれば、バックライト装置と液晶パネルを有する液晶表示装置にで、このバックライト装置と液晶パネルとの間には、液晶パネルの画素格子に対して傾きを有しないプリズムシートが配置されており、このプリズムシートと液晶パネルとの間にはヘイズ値が４８％以上７０％以下で、シート厚が５０μｍ以上９０μｍ以下の拡散シートを配置したというものである。
【０００７】
本発明の別の実施態様によれば、バックライト装置と液晶パネルを有する液晶表示装置で、このバックライト装置と液晶パネルとの間には、液晶パネルの画素格子に対して傾きを有しないプリズムシートが配置されており、このプリズムシートと液晶パネルとの間にはヘイズ値が４８％以上６５％以下で、シート厚が５０μｍ以上９０μｍ以下の拡散シートを配置したというものである。
【発明の効果】
【０００８】
本発明によれば、液晶パネルの画素格子に対して、プリズムシートのプリズム溝を傾けずに配置しても、モアレが認識できないような液晶表示装置を提供できる。
【発明を実施するための最良の形態】
【０００９】
以下、本発明の実施の形態につき、実施例の図面を参照して詳細に説明する。
【実施例１】
【００１０】
図１は、本発明の液晶表示装置を示す図である。図１のように、本発明では液晶パネル１１の下側にはバックライト装置１２が配置されており、このバックライト装置１２の上に下拡散シート１３、下プリズムシート１４、上プリズムシート１５、そして本発明の特徴の一つである上拡散シート１６が配置されている。尚、本実施例では下プリズムシート１４、上プリズムシート１５は、頂角が上（液晶パネル）側に向いている正プリズムシートを使用している。
【００１１】
また、バックライト装置１２は、例えば導光板１７の側面に例えばＬＥＤ等の光源１８を配置し、この導光体１７の下側に反射シート１９を配置することにより構成されるものである。
【００１２】
本発明では、図２に示すように、液晶パネル１１に配置された走査配線２１と映像信号配線２２のどちらかに対して上プリズムシート１５のプリズム溝２３、若しくは下プリズムシート１４のプリズム溝２４を傾けずに配置して構成するものである。尚、図２では走査配線２１、映像配線２２の延伸方向及び、上プリズムシート１５のプリズム溝２３、下プリズムシート１４のプリズム溝２４の方向をわかり易く記載しているのみであり、実際の配線間隔、プリズム溝の間隔の比ではない。
【００１３】
また、図１では、上プリズムシート１５、下プリズムシート１４のように２枚の正プリズムシートをプリズム溝が直交するように重ねて配置する構成について記載しているが、１枚の正プリズムシートを用いて使用した場合についても、本発明の効果は同様に得られる。よって以降は正プリズムシートを１枚使用した場合について説明する。
【００１４】
図３は、液晶パネル１１と正プリズムシート３１の間に配置する上拡散シート１６の役割を説明するための図である。
【００１５】
ここで、本発明ではまず、プリズムシートの液晶パネル１１側に配置する上拡散シート１６と、プリズムシートのバックライト装置１２側に配置される下拡散シート１３のうち、上拡散シート１６について着目している。その理由は、液晶パネル１１との干渉は、上プリズムシート１５、下プリズムシート１４、導光板のいずれとでも発生するが、液晶パネル１１と最も近い位置に配置されていることから上プリズムシート１５との干渉の影響が最も顕著であり、よって、この上プリズムシート１５と液晶パネル１１との間に配置されている上拡散シート１６を工夫することにより、この干渉の影響を最も和らげる効果があると考えたからである。
【００１６】
図３は、正プリズムシート３１の上にヘイズ値（くもり度）の異なる３種類の拡散シート３２、３３、３４を配置した構成を示す図であり、液晶パネルのモアレの見え方について確認するための図である。
【００１７】
図３の左上面は、拡散シート３２を低ヘイズ（ヘイズ値４６％以下）のものを使用して配置している。この場合、輝度の低下は少ないがプリズム格子の隠蔽ができていない。尚、この図は、実際にはプリズムの溝は肉眼でははっきり見ることは出来ないが、存在するプリズム格子の像が、その上にどのようなヘイズ値の拡散シートを配置すれば隠せるかを示している。拡散シートを配置することによって、プリズム格子が隠せていなければさらにこの拡散シートの上に液晶パネルを配置した場合に、液晶パネルの画素格子とプリズム溝が干渉してしまい、またプリズム格子が隠せていれば液晶パネルとプリズム溝が干渉しないことになる。よって、図３の左上面の低ヘイズの拡散シートを配置した場合は、液晶パネルの画素格子とプリズム溝が干渉してモアレが認識されてしまうことを示している。尚、これはシート厚（拡散シート全体の厚み）が５０μｍ−２００μｍの夫々のものについて実験した結果であり、シート厚が厚いほど輝度低下が激しいことがわかった。
【００１８】
図３の右下面は、上拡散シート３４を高ヘイズ（ヘイズ値７３．２％以上）のものを使用して配置している。この場合、プリズム格子の隠蔽は可能となるが、輝度の低下が大で暗くなってしまう。尚、これはシート厚（拡散シート全体の厚み）が５０μｍ−２００μｍの夫々のものについて実験した結果であり、シート厚が厚いほど輝度が低下することがわかった。
【００１９】
図３の左下面は、上拡散シート３３を中間ヘイズ（本発明のために用意したヘイズ値４８％−７０％）のものを使用して配置している。この場合、プリズム格子をモアレ対策に必要十分なレベルまで隠蔽可能で、しかも輝度低下も比較的少ないことが確認できた。尚、これについてもシート厚（拡散シート全体の厚み）が５０μｍ−２００μｍの夫々のものについて実験した結果であり、シート厚が厚いほど輝度が低下することがわかった。
【００２０】
図４は、拡散シートの構成を示す図である。上拡散シート１６で使用される拡散シートは、例えばポリエステルにより構成される基材４１の片面に光拡散層４２、もう一方の片面にバックコート層４３が配置されて構成される。
【００２１】
光拡散層は、バインダーと、このバインダー中に含有する光拡散剤とを有して構成され、この光拡散剤により、光拡散層４２の基材４１側から透過してきた光を均一に拡散させるものである。また、光拡散剤によって光拡散層４２の表面に微細な凹凸が略均一に形成されている。なお、光拡散層の平均厚みは、例えば１μｍ以上３０μｍ以下である。
【００２２】
光拡散剤は、光線を拡散させる性質を有する粒子である。拡散シートのヘイズ値は、光拡散層４２の光拡散剤の粒子径や分布等により決まり、これらを変えることにより制御することができる。図４においてｗが拡散シートのシート厚を示している。
【００２３】
本発明ではここで、拡散シートのヘイズ値と拡散シート全体の厚さの関係についても考えてみた。
【００２４】
拡散シートのヘイズ値は上述したように中間ヘイズ（本発明のために用意したヘイズ値４８％−７０％）のものを使用すれば、本発明のような液晶パネルの画素格子とプリズム溝を傾けずに配置した場合にも、モアレが認識できないことがわかったが、同時に、表示装置全体としては高輝度を確保する必要があり、この高輝度化の要求のも応える必要がある。また拡散シートの基材としての役割を果たすため、どのくらいの厚みが必要であるかも考慮する必要がある。
【００２５】
そこで本発明では、光拡散層の平均厚みが最大で３０μｍであること、またシート厚が５０μｍよりも薄いと『こし』（強度）がなくなり、液晶表示装置として組み立てる際に、組み立て難くなったり、さらには組み立て後の環境状況の変化によって拡散シートにうねりが発生して表示品質が低下してしまうことから本発明では拡散シート全体の厚みｗを５０μｍ以上とした。
【００２６】
さらに、拡散シートが厚すぎると輝度低下の問題も発生するため、シート厚を９０μｍ以下とすることによりモアレ対策、高輝度化、薄型化という様々な要求に応えることができる表示装置を提供するものである。
【００２７】
本発明では、上述したように、液晶パネルの画素格子に対して、正プリズムシートのプリズム溝を傾けずに配置した表示装置で、上拡散シートのヘイズ値を追求することにより、モアレが実用上十分なレベルまで改善されるギリギリのヘイズ値を特定し、さらに高輝度化、薄型化の要求のため拡散シートの厚みを規定したものである。このどちらの条件も揃わないと、本発明での条件でのモアレ対策、輝度低下防止対策、薄型化の要求の対策を行うことができない。本発明は、拡散シートのシート厚とヘイズ値を上述したものとするという発明であり、このどちらかの値が欠けても本発明は成り立たない。これらの値は、本発明の発明者が鋭意検討して導き出された結果である。
【００２８】
また、本実施例では、プリズムシートを正プリズムシート１枚として説明したが、正プリズムシートを２枚配置した場合でも、プリズムの頂角がバックライト装置側に向いて配置された逆プリズムシートを配置した場合でも同様の効果が得られる。
【実施例２】
【００２９】
本実施例では、図３において使用した上拡散シートを実施例１とは異なるヘイズ値で確認した。
【００３０】
実施例２においては、ヘイズ値４８％−６５％の拡散シートを用いて実施例１と同様の観測を行った結果、実施例１よりもさらに良い結果が得られた。拡散シートのシート厚については実施例１と同様である。
【図面の簡単な説明】
【００３１】
【図１】本発明の液晶表示装置の全体構成を示す図である。
【図２】本発明の液晶パネルに配置された走査配線と映像信号配線と、上プリズムシートのプリズム溝、若しくは下プリズムシートのプリズム溝の関係を示す図である。
【図３】液晶パネルとプリズムシートの間に配置する上拡散シートの役割を説明するための図である。
【図４】拡散シートの構成を示す図である。
【符号の説明】
【００３２】
１１・・・液晶パネル、１２・・・バックライト装置、１３・・・下拡散シート、
１４・・・下プリズムシート、１５・・・上プリズムシート、１６・・・上拡散シート、
１７・・・導光板、１８・・・光源、１９・・・反射シート、
２１・・・走査配線、２２・・・映像信号配線、２３・・・上プリズムシートのプリズム溝、
２４・・・下プリズムシートのプリズム溝、４１・・・基材、４２・・・光拡散層、
４３・・・バックコート層。
【図１】
2006235014.tif 000003
【図２】
2006235014.tif 000004
【図３】
2006235014.tif 000005
【図４】
2006235014.tif 000006